(57)【要約】【課題】ポール受け部をポール部に固定するためのボルトの緩みの程度を容易に視認することができ、メンテナンスの要否を簡単に判断することができるポール灯を提供する。【解決手段】地上から立設される筒状のポール部２の上端部にアダプタ５が一体に設けられ、このアダプタ５の外部に筒状のポール受け部３が嵌合されてボルト８で固定され、このポール受け部３の上部に照明器具４が取り付けられているポール灯であって、各ボルト８の内の少なくとも一つには発光素子９が設けられる一方、この発光素子９を有するボルト８の先端に対向する位置にあるアダプタ５の周壁には、当該ボルト８の締結により発光素子９と電気的に接続される接続端子１２が設けられている。【選択図】図２
2010080131.tif 000002
【特許請求の範囲】
【請求項１】
地上から立設される筒状のポール部と、このポール部の上端部に結合される筒状のポール受け部と、このポール受け部の上部に設けられる照明器具とを備え、前記ポール受け部の周壁には複数の取付ねじ穴が形成され、これらの各取付ねじ穴に螺合されたボルトが前記ポール部の周壁またはポール部の端部に一体に設けられたアダプタに当接することにより前記ポール受け部が前記ポール部に固定されているポール灯であって、
前記各ボルトの内の少なくとも一つには発光素子が設けられる一方、前記発光素子を有するボルトの先端に対向する位置にある前記ポール部の周壁または前記アダプタの周壁には、当該ボルトの締結により前記発光素子と電気的に接続される接続端子が設けられていることを特徴とするポール灯。
【請求項２】
地上から立設される筒状のポール部と、このポール部の上端部に結合される筒状のポール受け部と、このポール受け部の上部に設けられる照明器具とを備え、前記ポール受け部の周壁には複数の取付ねじ穴が形成され、これらの各取付ねじ穴に螺合されたボルトが前記ポール部の周壁またはポール部の端部に一体に設けられたアダプタに当接することにより前記ポール受け部が前記ポール部に固定されているポール灯であって、
前記ポール部の周壁または前記アダプタの周壁の前記各ボルトの先端に対向する少なくとも一カ所には、前記ボルトの締結により接点が開放されるスイッチが設けられる一方、前記ポール部またはポール受け部の外周壁には発光素子が取り付けられ、この発光素子が前記スイッチと電気的に接続されていることを特徴とするポール灯。
【発明の詳細な説明】
【技術分野】
【０００１】
本発明は、ポール灯に関する。
【背景技術】
【０００２】
従来より、街路照明、公園照明、道路照明等を行うためにポール灯が使用されている。このポール灯は、高位置から地上を照明することを目的とするため、全体が長尺のものとなる一方、運搬や設置等を行う際の利便性を考慮して、各部分を分解した状態で現場に搬送し、現場で各部を組み立てるようにしている。
【０００３】
そのため、従来のポール灯は、地上から立設される筒状のポール部と、このポール部の上端部に結合される筒状のポール受け部と、このポール受け部の上部に取り付けられる照明器具とを備えており、現場でポール部と照明器具が取り付けられたポール受け部とをボルトで結合するようにしている。
【０００４】
すなわち、従来のポール灯は、ポール受け部の周壁の周方向に沿う複数箇所に取付ねじ穴が形成され、この取付ねじ穴にボルトを螺合し、このボルトをポール部の周壁またはポール部の端部に一体に設けられたアダプタに当接することによりポール部にポール受け部を固定して組み立てるようにした構成のものが提供されている（例えば、下記の特許文献１参照）。
【特許文献１】特開２００３−１５１３２０号公報
【発明の開示】
【発明が解決しようとする課題】
【０００５】
ところで、ポール灯を現場に設置した当初は、ポール部にポール受け部がボルトで十分に締結されていても、例えば照明器具やポール受け部などが風に煽られて振動すると、次第にボルトが緩んでくることがある。
【０００６】
しかし、ポール灯を組み立てて一旦現場に設置した場合、ポール部にポール受け部をボルトで固定した箇所は地面から高所に位置しているため、ボルトが緩んだ場合にもその程度を容易に視認し難く、メンテナンスに支障を生じる。
【０００７】
本発明は、上記の課題を解決するためになされたもので、ポール部にポール受け部を固定するためのボルトの緩みの程度を容易に視認することができ、メンテナンスの要否を簡単に判断することができるポール灯を提供することを目的とする。
【課題を解決するための手段】
【０００８】
上記の目的を達成するために、本発明にあっては、地上から立設される筒状のポール部と、このポール部の上端部に結合される筒状のポール受け部と、このポール受け部の上部に設けられる照明用の灯具とを備え、前記ポール受け部の周壁には取付ねじ穴が形成され、この取付ねじ穴に螺合されたボルトが前記ポール部の周壁またはポール部の端部に一体に設けられたアダプタに当接することにより前記ポール受け部が前記ポール部に固定されているポール灯において、次の構成を採用している。
【０００９】
すなわち、第１の発明（請求項１）では、前記各ボルトの内の少なくとも一つには発光素子が設けられる一方、前記発光素子を有するボルトの先端に対向する位置にある前記ポール部の周壁または前記アダプタの周壁には、当該ボルトの締結により前記発光素子と電気的に接続される接続端子が設けられていることを特徴としている。
【００１０】
また、第２の発明（請求項２）では、前記ポール部の周壁または前記アダプタの周壁の前記ボルトの先端に対向する少なくとも一カ所には、前記ボルトの締結により接点が開放されるスイッチが設けられる一方、前記ポール部またはポール受け部の外周壁には発光素子が取り付けられ、この発光素子が前記スイッチと電気的に接続されていることを特徴としている。
【発明の効果】
【００１１】
第１の発明に係るポール灯は、設置現場においてポール部にポール受け部をボルトで固定した箇所が地面から高所に位置していても、ボルトが緩むと発光素子が消灯するので、ボルトが緩んだことを容易に視認することができる。このため、メンテナンスの要否を簡単に判断することができ、ボルトの緩みが放置されてしまうといった不具合を確実に防止することができる。
【００１２】
また、第２の発明に係るポール灯は、設置現場においてポール部にポール受け部をボルトで固定した箇所が地面から高所に位置していても、ボルトが緩むと発光素子が点灯するので、ボルトが緩んだことを容易に視認することができる。このため、メンテナンスの要否を簡単に判断することができ、ボルトの緩みが放置されてしまうといった不具合を確実に防止することができる。しかも、第１の発明に比べて発光素子を常時点灯しておく必要がないため、消費電力を抑えることができるとともに、発光素子の寿命を長く保つことができて都合が良い。
【発明を実施するための最良の形態】
【００１３】
以下、本発明の実施の形態について、図面を参照して詳しく説明する。
【００１４】
（実施の形態１）
図１は本発明の実施の形態におけるポール灯の全体を示す正面図、図２は同ポール灯のポール部にポール受け部をボルトで固定した箇所を一部切り欠いて示す正面図、図３は図２で示す箇所をさらに拡大して示す断面図である。
【００１５】
この実施の形態のポール灯は、地上１から立設される長尺で円筒状のポール部２と、このポール部２の上端部に結合される円筒状のポール受け部３と、このポール受け部３の上部に設けられた照明器具４とを備える。そして、図示していないが、ポール部２の下方からポール受け部３を通って配線用のケーブルが挿通されて照明器具４に接続されている。なお、照明器具４の光源としては、例えば高輝度ランプ、蛍光灯、白熱灯などが適用される。
【００１６】
ポール部２には、その上端部分に固定具としてのアダプタ５が一体に突設されている。このアダプタ５は円筒状のもので、その外径はポール部２やポール受け部３の内径よりも小径になるように形成されている。
【００１７】
また、ポール受け部３は、その外径と内径とがポール部２の外径と内径の寸法とそれぞれ略同じになるように形成されており、このポール受け部３の下端部の周壁の複数箇所には取付ねじ穴３ａが形成され、各取付ねじ穴３ａにボルト８が螺合されている。そして、各ボルト８がアダプタ５の周壁に当接することによりポール部２にポール受け部３が一体的に固定されている。
【００１８】
この実施の形態１の特徴として、各ボルト８の内の少なくとも一つには発光素子９が設けられている。すなわち、このボルト８は、ボルト頭８ａの中央に発光素子９の収納凹部８ｂが形成され、また、取付ねじ穴３ａに螺合されるねじ部８ｃの先端部には後述の接続端子１２が挿入される挿入凹部８ｄが形成され、さらに、ねじ部８ｃの軸方向に沿う内部には導体８ｅが埋設され、この導体８ｅの一端側が発光素子９に接続され、他端側が挿入凹部８ｄ内に露出している。
【００１９】
一方、発光素子９を有するボルト８の先端に対向する位置にあるアダプタ５の周壁には、当該ボルト８のねじ部８ｃが挿通される挿入穴５ａが設けられ、また、アダプタ５の内側には挿入穴５ａを外囲するように取付金具１１が固定され、この取付金具１１の凹部内に接続端子１２が取り付けられて挿入穴５ａに臨んでいる。そして、この接続端子１２は配線ケーブル１３に電気的に接続されている。
【００２０】
よって、このボルト８のねじ部８ｃをポール受け部３の取付ねじ穴３ａに螺合して締め付けると、挿入凹部８ｄ内に接続端子１２が嵌入して導体８ｅに接触するので、接続端子１２が発光素子９に電気的に接続されて発光素子９が発光する。
【００２１】
したがって、ポール灯を設置した現場において、ポール部２の上部にポール受け部３をボルト８で固定した箇所が地面から高所に位置していても、ボルト８が緩むと、発光素子９は接続端子１２との電気的接触がなくなるために消灯する。これにより、ボルト８が緩んだことを容易に視認することができる。そのため、メンテナンスの要否を簡単に判断することができ、ボルト８の緩みが放置されてしまうといった不具合を確実に防止することができる。
【００２２】
なお、この実施の形態１では、アダプタ５の一カ所にだけ接続端子１２を設けているが、これに限らず、各ボルト８が締結される複数の箇所に接続端子１２を設けるとともに、これらの各接続端子１２に対応して発光素子９を有するボルト８を締結するようにすることも可能である。
【００２３】
（実施の形態２）
図４は本発明の実施の形態２におけるポール灯のポール部にポール受け部をボルトで固定した箇所を一部切り欠いて示す正面図、図５は同ポール灯のポール部のアダプタにポール受け部をボルトで固定する場合の電気的な回路図であり、図１ないし図３に示した実施の形態１と対応もしくは相当する構成部分には同一の符号を付す。
【００２４】
この実施の形態２における特徴は、ポール受け部３に螺合される各ボルト８の先端に対向するアダプタ５の周壁部分の内、一つの箇所にボルト８の締結により接点が開放されるスイッチ１４が設けられている。なお、このスイッチ１４の取り付けは、実施の形態１の接続端子１２の取り付けと同様な構成が適用される。
【００２５】
また、ポール部２の外周壁には発光素子９が取り付けられ、この発光素子９が配線ケーブル１３を介してスイッチ１４と電気的に接続されている。これにより、各ボルト８が確実に締結されている場合には、ボルト８の先端でスイッチ１４が押圧されてスイッチ１４が開放され、発光素子９は非点灯の状態にある。
【００２６】
したがって、ポール灯を設置した現場において、ポール部２の上部にポール受け部３をボルト８で固定した箇所が地面から高所に位置していても、ボルト８が緩むとスイッチ１４がオンして発光素子９が点灯するので、ボルト８が緩んだことを容易に視認することができる。そのため、メンテナンスの要否を簡単に判断することができ、ボルト８の緩みが放置されてしまうといった不具合を確実に防止することができる。
【００２７】
しかも、上記の実施の形態１の場合に比べると、発光素子９を常時点灯しておく必要がないため、消費電力を抑えることができるとともに、発光素子９の寿命を長く保つことができて都合が良い。
【００２８】
なお、この実施の形態２では、ポール部２の外周壁に発光素子９を取り付けているが、これに限らず、ポール受け部３の外周壁に発光素子９を取り付けることもできる。
【００２９】
また、上記の実施の形態１，２では、ポール部２の端部に設けられたアダプタ５にボルト８を当接させることによりポール部２にポール受け部３を固定する構成の場合について説明したが、本発明はこのような構成のものに限らず、例えばポール部２の端部にポール受け部３を外嵌し、ポール受け部３に設けた取付ねじ穴３ａにボルト８を螺合してポール部２にポール受け部３を固定する構成のものについても適用することが可能である。
【図面の簡単な説明】
【００３０】
【図１】本発明の実施の形態１におけるポール灯の全体を示す正面図である。
【図２】同ポール灯のポール部にポール受け部をボルトで固定した箇所を一部切り欠いて示す正面図である。
【図３】図２で示す箇所をさらに拡大して示す断面図である。
【図４】本発明の実施の形態２におけるポール灯のポール部にポール受け部をボルトで固定した箇所を一部切り欠いて示す正面図である。
【図５】同ポール灯のポール部のアダプタにポール受け部をボルトで固定する場合の電気的な回路図である。
【符号の説明】
【００３１】
２    ポール部
３    ポール受け部
３ａ  取付ねじ穴
４    照明器具
５    アダプタ
８    ボルト
９    発光素子
１２    接続端子
１４    スイッチ
【図１】
2010080131.tif 000003
【図２】
2010080131.tif 000004
【図３】
2010080131.tif 000005
【図４】
2010080131.tif 000006
【図５】
2010080131.tif 000007